(57)【要約】  この発明は、消費財を収容するための内側スライド（２）と内側スライド（２）の周りに少なくとも部分的に設けられた外側シェル（３）とを含む容器（１）に関する。異なる案内経路（１０、１１）を備えた第１の案内手段（４）及び第２の案内手段（５）が設けられ、第１及び第２の案内手段（４、５）は、所定の運動経路に沿った外側シェル（３）に対する内側スライド（２）の相対運動を可能にするようになっている。【選択図】      図２
2013517998.tif 000002
【特許請求の範囲】
【請求項１】
消費財を収容するための内側スライド（２）と、
前記内側スライド（２）の周りに少なくとも部分的に設けられた外側シェル（３）と、
を含む容器（１）であって、
第１及び第２の案内手段（４、５）が所定運動経路に沿った外側シェル（３）に対する内側スライド（２）の相対運動を可能にするようになった異なる案内経路（１０、１１）を備えた第１の案内手段（４）及び第２の案内手段（５）、
を特徴とする容器（１）。
【請求項２】
前記第１及び第２の案内手段（４、５）の前記案内経路（１０、１１）は、互いに対して長さ及び角度が異なることを特徴とする請求項１に記載の容器。
【請求項３】
前記第１の案内手段（４）は、前記第２の案内手段（５）の下に配置され、該第２の案内手段（５）の前記案内経路（１１）は、該第１の案内手段（４）の前記案内経路（１０）よりも長いことを特徴とする請求項１又は請求項２に記載の容器。
【請求項４】
前記第１の案内手段（４）の前記案内経路（１０）と水平面との間の第１の角度が、前記第２の案内手段（５）の前記案内経路（１１）と水平面との間の第２の角度よりも大きいことを特徴とする請求項１から請求項３のいずれか１項に記載の容器。
【請求項５】
前記外側シェル（３）は、その前部側面及び底部側面で開いており、前記内側スライド（２）は、その上部で開いていることを特徴とする請求項１から請求項４のいずれか１項に記載の容器。
【請求項６】
前記第１及び第２の案内手段（４、５）の各々は、前記案内経路に沿って延びる案内凹部と、該案内凹部に係合して該案内凹部に沿って移動可能な案内突起とを含み、
前記案内突起及び前記案内凹部のうちの一方は、前記内側スライド（２）の外側側面上に設けられ、他方は、前記外側シェル（３）の内側側面上に設けられる、
ことを特徴とする請求項１から請求項５のいずれか１項に記載の容器。
【請求項７】
前記第１及び第２の案内手段（４、５）の各々は、前記案内経路（１０、１１）に沿って延びる前記外側シェル（３）内の皿穴案内スリット（８、９）と、前記内側スライド（２）に接続された案内要素（６、７）とを含み、
前記案内要素６、７は、前記案内スリット（８、９）に係合し、かつそれに沿って移動可能である、
ことを特徴とする請求項１から請求項５のいずれか１項に記載の容器。
【請求項８】
カバーパネル（３０）が、前記案内スリット（８、９）を覆うために前記外側シェル（３）上に設けられることを特徴とする請求項７に記載の容器。
【請求項９】
前記第１及び第２の案内手段（４、５）は、前記内側スライド（２）及び外側シェル（３）の左側壁（１３、１７）又は右側壁、又は該左側壁（１３、１７）及び該右側壁に設けられることを特徴とする請求項１から請求項８のいずれか１項に記載の容器。
【請求項１０】
切り欠き（１８）が、閉じた容器内の前記内側スライド（２）へのアクセスを可能にするために前記外側シェル（３）に設けられることを特徴とする請求項１から請求項９のいずれか１項に記載の容器。
【請求項１１】
閉鎖手段が、前記内側スライド（２）を前記外側シェル（３）内の前記閉鎖位置に固定するために設けられることを特徴とする請求項１から請求項１０のいずれか１項に記載の容器。
【請求項１２】
前記閉鎖手段は、容器の前記閉鎖位置で互いに係合するノッチ（２１）及び突起（２０）を含み、
前記ノッチ（２１）及び突起（２０）のうちの一方は、前記内側スライド（２）の前記外側側面上に設けられ、ノッチ（２１）及び突起（２０）のうちの他方は、前記外側シェル（３）の前記内側側面上に設けられる、
ことを特徴とする請求項１１に記載の容器。
【請求項１３】
前記第１及び第２の案内手段（４、５）の端部が、完全に開いた容器のための完全停止位置を可能にする停止部分として構成されることを特徴とする請求項１から請求項１２のいずれか１項に記載の容器。
【請求項１４】
少なくとも１つの透明区画（２２、２３、２４、２５）が、前記内側スライド（２）又は前記消費財上に提供された情報が可視であることを可能にするために前記外側シェル（３）及び該内側スライド（２）の前記壁のうちの少なくとも１つに設けられることを特徴とする請求項１から請求項１３のいずれか１項に記載の容器。
【請求項１５】
前記消費財は、補充パッケージとして提供されることを特徴とする請求項１から請求項１４のいずれか１項に記載の容器。
【発明の詳細な説明】
【技術分野】
【０００１】
本発明は、消費財のための内側スライドと内側スライドの周りに少なくとも部分的に設けられた外側シェルとを含む容器に関する。
【背景技術】
【０００２】
そのような容器は、外側シェルに対してピボット移動をするための内側スライドを外側シェルに装着したシガレットのためのパッケージが開示されている例えば米国特許ＵＳ−Ａ−３，８８１，５９９から「スライド及びシェル」容器として公知である。これは、パッケージの底部において内側スライドと外側シェルとをヒンジ式に接続する切り込み線によって可能になる。
【先行技術文献】
【特許文献】
【０００３】
【特許文献１】ＵＳ−Ａ−３，８８１，５９９
【特許文献２】ＵＳ−Ａ−４，７１４，０８２
【特許文献３】ＵＳ−Ａ−５，６９２，５２５
【発明の概要】
【発明が解決しようとする課題】
【０００４】
容器を開ける新しい方法を消費者に提供する消費財のための新しいスライド及びシェル容器を提供することが望ましいと考えられる。
【課題を解決するための手段】
【０００５】
本発明により、消費財を収容するための内側スライドと、内側スライドの周りに少なくとも部分的に設けられた外側シェルとを含む容器を提供する。本発明による容器は、異なる案内経路を備えた第１の案内手段と第２の案内手段とを更に含み、第１及び第２の案内手段は、所定の運動経路に沿って外側シェルに対して内側スライドの相対運動が可能になるようになっている。
【０００６】
用語「案内経路」は、本明細書を通して、容器の開又は閉移動中に案内手段が取る所定の経路を指すように使用される。案内経路は、真っ直ぐな線、又は湾曲した線、又はそれらを組み合わせたものとすることができる。
【０００７】
用語「異なる案内経路」は、本明細書を通して、２つの案内手段の２つの所定の案内経路が方向的に又は長さ的に又は方向及び長さ的に異なることを指すように使用される。
【０００８】
用語「運動経路」は、本明細書を通して、容器の開又は閉移動中に外側シェルに対して内側スライドが取る所定の経路を指すように使用される。内側スライドの運動経路は、２つの案内手段の２つの別々の案内経路の畳み込みである。従って、２つの案内手段の異なる案内経路は、外側シェルに対して内側スライドの所定の平行移動及び回転移動を可能にする。案内手段の異なる案内経路の使用は、広範囲の異なる運動経路を可能にする。それによって容器を開いた時に消費者に対して驚くべき効果を作り出すことができる。更に、内側スライドの運動経路は、容器の開放位置で消費財が容易にアクセスされるように設計することができる。容器の閉鎖位置では、消費財が十分に保護される。更に、閉鎖位置から開放位置までの外側シェルに対する内側スライドの運動経路は、内側スライドが外側シェルにヒンジで接続される従来技術よりも多くの幾何学的可能性を用いて設計することができる。
【０００９】
好ましくは、２つの案内手段の案内経路は、直線であり、互いに対して長さと方向が異なる。従って、一方の案内経路が他方よりも長く、かつそれと方向が異なるので、外側シェルに対する内側スライドの運動経路は、平行移動移動と回転移動の組合せということになる。
【００１０】
好ましくは、第１の案内手段は、第２の案内手段の下に配置され、第２の案内手段の案内経路は、第１の案内手段の案内経路よりも長い。従って、内側スライドの上部側面で開く容器は、容器の開放位置で内側スライドの開いた上部側面が容易にアクセス可能であるように、回転及び平行移動の組合せが可能になる。容器の閉鎖位置では、内側スライドの上部側面が外側シェルの上部壁によって覆われる。
【００１１】
本発明による容器の構成要素の相対位置を説明するのに使用される用語「前面」、「背面」、「上側」、「下側」、「側面」、「上部」、「底部」、「左」、「右」、「上方」、「下方」、及び他の用語は、そこを通って消費財が取り出される開口部が好ましくは上端に設けられ、運動経路の平行移動する構成要素が好ましくは実質的に容器の前面に向けられた場合の直立位置にある容器を意味する。
【００１２】
好ましくは、外側シェルは、共通縁部を共有すると考えられる２つの側面で開いている。それによって回転する構成要素を備えた内側スライドの運動経路が可能になる。
【００１３】
一実施形態では、第１の案内手段の案内経路と水平面の間の第１の角度は、第２の案内手段の案内経路と水平面の間の第２の角度よりも大きい。内側スライドは、開放位置と閉鎖位置の間で移行する間に外側シェル内でその上部の近くを移動することができる。
【００１４】
好ましくは、外側シェルは、前部側面及び底部側面で開いており、内側シェルは、上部側面で開いている。従って、この実施形態では、外側シェルは、左側壁、右側壁、上部壁、及び背面壁を含む。同様に、内側スライドは、前面壁、左側壁、右側壁、背面壁、及び底部壁を含む。内側スライド及び外側シェルの開口部の配置により、内側スライドは、所定の運動経路に沿って移動可能になり、消費財は、容器の開放位置で容易にアクセス可能になり、容器の閉鎖位置で容器の内側に十分に保護される。
【００１５】
本発明の一実施形態では、第１及び第２の案内手段の各々は、案内経路に沿って延びる案内凹部と、案内凹部に係合し、かつ案内凹部に沿って移動可能な案内突起とを含む。この実施形態により、案内突起と案内凹部の一方が内側スライドの外側側面に設けられ、他方が外側シェルの内側側面に設けられる。有利な態様では、案内手段は、内側及び外側シェルの間に設けられるので、案内手段が外側から見えず、損傷から保護される。
【００１６】
本発明の他の実施形態では、第１及び第２の案内手段の各々は、案内経路に沿って延びる外側シェルの皿穴案内スリットと、内側スライドに接続し、かつ案内スリットに係合してそれに沿って移動可能である案内要素、例えば、案内ピンとを含む。案内スリットに皿穴にすると、案内ピンが外側シェルの外面に突出しないという利点がある。更に、案内ピンを内側スライドに接続すると、有利な態様では、容器の生産工程が容易になる。
【００１７】
好ましくは、案内スリットを覆うために外側シェルにカバーパネルが設けられる。案内スリットが皿穴にされているので、カバーパネルは、案内ピンと悪く干渉することなく外側シェルに直接に適用することができる。従って、案内手段が十分に保護され、かつ外側から見えない。カバーパネルは、例えば、錫のような金属のシートとすることができる。
【００１８】
好ましくは、第１及び第２の案内手段は、内側スライド及び外側シェルの左側壁又は右側壁に設けられる。代替的に、第１及び第２の案内手段は、内側スライド及び外側シェルの左側壁及び右側壁上に設けられる。内側及び外側シェルのために使用される材料の強度に応じて、案内手段は、１つの側壁にのみ要求される場合がある。
【００１９】
好ましくは、容器が閉鎖位置にある間に消費者が内側スライドを把持することができるように、外側シェルの側壁の少なくとも１つに切り欠きが設けられる。このようにして、消費者は、容器の閉鎖位置から内側スライドの移動を始めるために内側スライドを直接掴んでそれに力を加えることができる。それによって内側スライドの移動が簡単になる。好ましくは、外側シェルの両側壁の前面端部に切り欠きが設けられる。好ましくは、内側スライドには、消費者の把持を簡単にするために外側シェルの切り欠きの区域に摩擦を大きくした区画が設けられる。摩擦を大きくした区画は、高摩擦カバー層又は突起及びノッチのアレイを含むことができる。
【００２０】
好ましくは、容器が閉鎖位置の状態で内側スライドを外側シェル内に固定するために閉鎖手段が設けられる。従って、意図しない容器の開放を防止することができる。更に、閉鎖手段は、消費者に容器が確かに閉じているという触感又は可聴の表示を設けることができる。
【００２１】
好ましくは、閉鎖手段は、容器の閉鎖位置で互いに係合するノッチ及び突起を含み、ノッチが内側スライドの外側側面に設けられ、突起が外側シェルの内側側面に設けられる。代替的に、突起が内側スライドの外側側面に設けられ、ノッチが外側シェルの内側側面に設けられる。ノッチ内での突起の係合により、容器の確実な閉鎖位置が可能になる。
【００２２】
一実施形態では、完全に開いている容器のための完全停止位置を可能にする停止部分として第１及び第２の案内手段の端部が構成される。従って、外側シェルに対する内側スライドの運動経路が終了する位置で容器の開放位置が定められる。好ましくは、容器の開放位置は、内側スライドの開口部全体を露出する。このようにして、本発明による容器には、例えば、消費財の新しい束を簡単に補充することができる。
【００２３】
内側スライドに設けられた情報を見ることを可能にするために、好ましくは、少なくとも１つの透明区画が外側シェルの壁の少なくとも１つに設けられる。更に、少なくとも１つの透明区画は、内側スライドに設けることができる。外側シェル及び内側スライドの透明区画は、それらが互いに相互作用するように、換言すれば、内側スライド及び外側シェルの透明区画が容器の閉鎖位置、開放位置、又は開及び閉鎖位置の間の位置で整列するように位置決めすることができる。容器の開放位置に応じて、外側シェルの透明区画を通して異なる情報が見える。この情報は、内側スライド内の又は内側スライドの外側側面上の消費財に印刷することができる。透明区画は、透明材料の区画又は開口部とすることができる。透明区画は、あらゆる幾何学形状を有することができ、例えば、透明区画は、矩形、円形、ロゴ、又は文字の形状を有することができる。内側スライド及び外側シェルの透明区画は、それらが容器の内容物を表示するように、例えば、内部に包まれた消費財の束の色のような消費財を表示することができる消費財の区画を示すことによって整列させることができる。更に、内側スライド及び外側シェルの透明区画は、内側スライドの運動経路に沿った移動中にそれらが動いている像を作り出すように整列させることができる。
【００２４】
一実施形態では、消費財は、補充パッケージに設けられ、その場合、消費財は、好ましくは、消費財へのアクセスを可能にすることができる穿孔線を備えたライナに包まれる。従って、容器それ自体は、再使用することができ、一方それには補充パッケージを用いて補充される。補充パッケージは、消費財が環境の影響から保護されるように、ライナに包まれた消費財を含む。穿孔線により、消費財にアクセス可能なようにそれが容器に挿入されている時でさえも補充パッケージの開放が可能になる。
【００２５】
本発明による容器は、直角縦方向及び直角横方向縁部を備えた直方体形状とすることができる。代替的に、容器は、１つ又はそれよりも多くの丸形縦方向縁部、丸形横方向縁部、斜面付き縦方向縁部、又は斜面付き横方向縁部、又はその組合せを含むことができる。例えば、本発明による容器は、以下に限定されるものではないが、
−側壁の少なくとも１つに１つ又は２つの縦方向丸形又は斜面付き縁部、及び／又は
−背面壁に１つ又は２つの縦方向丸形又は斜面付き縁部、
−側壁の少なくとも１つに１つ又は２つの横方向丸形又は斜面付き縁部、及び／又は
−背面壁に１つ又は２つの横方向丸形又は斜面付き縁部、
−側壁の少なくとも１つに１つの縦方向丸形縁部及び１つの縦方向斜面付き縁部、及び／又は
−背面壁に１つの横方向丸形縁部及び１つの横方向斜面付き縁部、
−側壁の少なくとも１つに１つ又は２つの横方向丸形又は斜面付き縁部及び前面壁に１つ又は２つの縦方向丸形又は斜面付き縁部、
−前面壁に２つの縦方向丸形又は斜面付き縁部又は前面壁に２つの横方向丸形又は斜面付き縁部、
を含むことができる。
【００２６】
用語「縦方向」は、底部から上部の又はその反対の方向を意味する。用語「横方向」は、前面壁、背面壁、又は側壁の１つにわたって縦方向に垂直な方向を意味する。
【００２７】
容器が１つ又はそれよりも多くの斜面付き縁部を含む場合、好ましくは、斜面付き１つ又はそれよりも多くの縁部は、約１ｍｍと約１０ｍｍの間、好ましくは、約２と約６ｍｍの間の幅を有する。代替的に、容器は、容器の縁部に生じる２つの異なる斜面によって形成された２重斜面を含むことができる。
【００２８】
矩形横断面の容器の代替として、容器は、三角形、四角形、又は六角形のような多角形断面、又は長円形、半長円形、円形、又は半円形の断面を有することができる。
【００２９】
容器は、以下に限定されるものではないが、厚紙、板紙、プラスチック、金属、又はその組合せを含むあらゆる適切な材料から形成することができる。好ましくは、容器の本体は、ポリスチレン、ポリエチレン、ポリプロピレン、又はポリエチレンテレフタレートから作ることができる。好ましくは、外側シェルは、更に錫カバー層を含む。
【００３０】
本発明による容器は、様々な消費財のためのパッケージとして使用することができる。特に好ましい実施形態では、本発明による容器は、喫煙物品を包装するのに使用される。本発明による容器は、以下に限定されるものではないが、公知の着火端部シガレット、シガー又はシガリロ、可燃性燃料要素又は熱源及びエーロゾル発生基体を含む加熱式喫煙物品（例えば、ＵＳ−Ａ−４，７１４，０８２に記載のシガレット）、及び電気加熱式喫煙システムと共に使用するための喫煙物品（例えば、ＵＳ−Ａ−５，６９２，５２５に開示する種類のシガレット）を含む喫煙物品を包装するのに有利に使用することができる。
【００３１】
その寸法の適切な選択により、本発明による容器は、異なる総数の喫煙物品、又は異なる配置の喫煙物品を保持するように設計することができる。例えば、その寸法の適切な選択により、本発明による容器は、総数が１０と３０の間の喫煙物品を保持するように設計することができる。
【００３２】
本発明による容器は、消費財の１つ、２つ、３つ、４つ、又は５つの別々の束を保持することができる。別々の束は、前面壁に対して及び背面壁に対して実質的に平行に又は前面壁に対して及び背面壁に対して実質的に垂直に配置することができる。
【００３３】
束内では、喫煙物品は、喫煙物品の総数、喫煙物品の寸法、又は容器の断面形状に応じて異なる丁合で配置することができる。例えば、喫煙物品は、５、６、７、８，９、又は１０の１列の束に配置することができる。代替的に、喫煙物品は、２列又はそれよりも多くの列に配置することができる。２つ又はそれよりも多くの列は、同じ数の喫煙物品を収容することができる。例えば、喫煙物品は、５、６、７、８、９、又は１０の２列、又は５、６、７、８，９、又は１０の３列、又は４、５、６、又は７の４列に配置することができる。代替的に、２列又はそれよりも多くの列は、互いに異なる数の喫煙物品を収容する少なくとも２列を含むことができる。例えば、喫煙物品は、５の列と６の列（５−６）、６の列と７の列（６−７）、７の列と８の列（７−８）、５の中央列と６の外側２列（６−５−６）、５の中央列と７の外側２列（７−５−７）、６の中央列と５の外側２列（５−６−５）、６の中央列と７の外側２列（７−６−７）、７の中央列と６の外側２列（６−７−６）、９の中央列と８の外側２列（８−９−８）、又は６の中央列、５の外側１列、及び７の外側１列（５−６−７）に配置することができる。
【００３４】
本発明による容器は、同じ種類又は銘柄、又は異なる種類又は銘柄の喫煙物品を保持することができる。更に、フィルタなし喫煙物品及び広範なフィルタチップ付き喫煙物品の両方、並びに異なる長さの喫煙物品（例えば、約４０ｍｍと約１８０ｍｍの間）及び異なる直径の喫煙物品（例えば、約４ｍｍと約９ｍｍの間）を収容することができる。更に、喫煙物品は、風味の強度、吸引抵抗、及び総粒子状物質送出量を異なるものにすることができる。容器が１つよりも多くの束を含む場合、同じ容器内の各束は、上に列挙したような同じか又は異なる種類の喫煙物品を保持することができる。
【００３５】
好ましくは、容器の寸法は、喫煙物品の長さ及び喫煙物品の丁合に適合される。一般的に、容器の外寸は、容器の内側に収容された喫煙物品の束の寸法よりも約０．５ｍｍから約７ｍｍの間だけ大きい。
【００３６】
好ましくは、本発明による容器は、約６０ｍｍと約１５０ｍｍの間の高さ、より好ましくは、約７０ｍｍと約１２５ｍｍの間の高さを有し、高さは、容器の上部壁から底部壁まで測定される。
【００３７】
好ましくは、本発明による容器は、約１２ｍｍと約１５０ｍｍの間の幅、より好ましくは、約２０ｍｍと約４０ｍｍの間の幅を有し、幅は、容器の第１の側壁から第２の側壁まで測定される。
【００３８】
好ましくは、本発明による容器は、約６ｍｍと約１００ｍｍの間の深さ、より好ましくは、約５０ｍｍと約７０ｍｍの間の深さを有し、深さは、容器の前面壁から背面壁まで測定される。
【００３９】
本発明による容器の外部表面は、製作者又は銘柄ロゴ、商標、スローガン、及び他の消費者情報及び印しを用いて印刷、エンボス、デボス、打ち抜き、又はその他の方法で装飾することができる。代替的に又は追加的に、本発明による容器の外部表面は、ラッカー、金属化、ホログラム、蛍光の材料、又は容器の感触、匂い、又は外観を変えるいずれかの他の材料を用いて少なくとも部分的に覆うことができる。
【００４０】
本発明による容器の内側スライドが喫煙物品の１つ又はそれよりも多くの束を収容する場合、喫煙物品は、好ましくは、例えば、金属箔又は金属化紙の内側ライナ内に包まれる。
【００４１】
容器が喫煙物品を含む場合、容器は、廃棄物のための仕切り、又は例えばマッチ、ライター、消火手段、気分転換剤、又は電子機器のような他の消費財を更に含むことができる。他の消費財は、容器の外側に取り付けるか、喫煙物品と共に容器に収容するか、容器の個別の仕切りに収容するか、又はその組合せとすることができる。
【００４２】
充填された状態で、本発明による容器は、例えば、高密度又は低密度ポリエチレン、ポリプロピレン、配向ポリプロピレン、塩化ポリビニリデン、セルロースフィルム、又はそれらの組合せの透明なポリマーフィルムを用いて従来の方法で収縮包装するか又はその他の方法で上包装することができる。本発明による容器が上包装される場合、上包装紙は、開封テープを含むことができる。
【００４３】
添付図面を参照して本発明を単に一例として以下に更に説明する。
【図面の簡単な説明】
【００４４】
【図１】閉鎖位置にある本発明による容器の実施形態の側面図である。
【図２】開放位置にある本発明による容器の実施形態の側面図である。
【図３】本発明による容器の実施形態の案内及びレール構造の断面図である。
【発明を実施するための形態】
【００４５】
図１に、内側スライド２及び外側シェル３を含む本発明による容器１が閉鎖位置に示されている。内側スライド２を外側シェル３に移動可能に接続する第１の案内手段４及び第２の案内手段５が設けられる。
【００４６】
第１の案内手段４及び第２の案内手段５は、内側スライド２に接続された案内ピン６、７と、外側シェル３の案内スリット８、９とで構成される。案内スリット８、９は、図１に破線に示した案内経路１０、１１を形成する。
【００４７】
第２の案内手段５の案内スリット９は、第１の案内手段４の案内スリット８の上に配置される。案内スリット９は、案内スリット８よりも長い延長部を有する。案内スリット９は、案内スリット８の水平面に対する角度よりも小さい水平面に対する角度で直線的に延びる。案内スリット８、９は、外側シェル３の背面壁１２に向う方向に高くなる。
【００４８】
図１に示す容器の閉鎖位置では、案内ピン６、７は、外側シェル３の背面壁１２により近い案内スリット８、９の端部位置に配置される。
【００４９】
外側シェル３は、更に、左側壁１３、上部壁１４、及び図１では見えない右側壁を含む。内側スライド２は、前面壁１５、底部壁１６、左側壁１７及び右側壁、及び背面側壁を含む。
【００５０】
案内ピン６、７は、内側スライド２の左側壁１７及び右側壁の固定位置に挿入される。案内スリット８、９は、外側シェル３の左側壁１３と右側壁に設けられる。
【００５１】
外側シェル３は、更に、左側壁１３に切り欠き１８、及び右側壁に相応の切り欠きを含む。切り欠き１８により、消費者は、左側壁１７及び右側壁で内側スライド２を直接把持し、かつ内側スライド２を容器の開放位置に向けて移動することができるようになる。
【００５２】
開放位置では、図２に示すように、案内ピン６、７が、案内スリット８、９の前面位置にある。案内スリット８、９はまた、図２に示す開放位置にある外側シェル３に対して内側スライド２が更に前部に移動できないように完全停止をもたらす。
【００５３】
内側スライド２は、その右側壁及び左側壁１７の上部部分に切り欠き１９を有し、外側シェル２に収容された消費財に対するアクセスを容易にする。
【００５４】
消費財は、好ましくは、内側ライナ及び包装フィルムに含まれた喫煙物品、特にシガレットである。内側ライナは、内側スライド２の切り欠き１９の領域内の内側ライナの上端に取外し可能部分を形成する穿孔線を有する。取外し可能部分は、それが残りの内側ライナから引き裂かれて喫煙物品に簡単にアクセス可能なように消費者が引くことができる。好ましくは、包装フィルムは、穿孔に沿って包装フィルムを簡単に開封するために開封テープを含む。
【００５５】
外側シェル３は、側壁１３の内側側面において、容器の閉鎖位置で内側スライドの側壁１７の外側側面に設けられたノッチ２１内に係合する突起２０を含む。ノッチ２１と突起２０の係合により、容器を図１の閉鎖位置に固定する閉鎖手段が利用可能になる。図２では、ノッチ２１と突起２０が互いに対して距離を置いている。しかし、更に別の相応の閉鎖手段が内側スライド２及び外側シェル３に設けられ、容器１を図２の開放位置に固定することができる。
【００５６】
更に、透明区画２２、２３、及び２４が外側シェル３に設けられ、更に別の透明区画２５が内側スライド２に設けられる。透明区画２２、２３、及び２５は、内側スライド２内の喫煙物品の束が外側から可視であるように容器の閉じた構成で互いに整列する。従って、喫煙物品の束の色に応じて、容器１内の喫煙物品の種類を容器の外側から判断することができる。
【００５７】
更に、外側シェル３に対する内側スライド２の相対移動中に、透明区画２４及び２５は、外側シェル３に対する内側スライド２の相対位置を示すある一定の断面を有することを可能にされる。容器の開放中に、透明区画２４及び２５が重なった状態で移動の像が作り出される。図示の実施形態では、垂直透明区画２５の下側区画が最初に見られ、次に更に上にある内側スライド２の内側の束の区画が見える。内側スライド内の束の設計次第で、これは、露出した区画内で可視の色変化を作り出すか、又は移動中にテキストメッセージが可読になるようにすることができる。
【００５８】
図３には、第２の案内手段５の図１の線Ａ−Ａに沿った断面の拡大図が示されている。第１の案内手段４は、相応に設計される。
【００５９】
案内手段５は、案内スリット９に移動可能に挿入され、かつ内側スライド２に接続された案内ピン７により、内側スライド２を外側シェル３と連結する。案内スリット９は、皿穴にされ、かつ定められた摺動運動を可能にするように突起２７及び案内ピン７の側壁２８と相互作用する突起２６を含む。
【００６０】
案内ピン７は、更に、案内ピン７を内側スライド２の定められた位置に固定することができるように内側スライド２のための当接面を可能にする凹部２９を含む。これは、内側スライド２内で案内ピン７の位置が変わるような場合に案内手段５を無意識にロックすることができるので特に重要である。
【００６１】
更に、容器は、図３には示したが図１及び２には省略したカバーパネル３０を含む。カバーパネル３０は、案内手段が外側から見えずかつそれらが保護されるように案内手段４、５を覆う。カバーパネル３０は、外側シェル３の透明区画２２、２３、２４の領域に開口部を含む。カバーパネル３０は、好ましくは、容器１の外側シェル３の左側壁１３、背面壁１２、及び右側壁を覆う。
【００６２】
カバーパネル３０は、外面を平滑にすることができるように外側シェル３の凹部部分に受け入れることができる。カバーパネル３０は、１つの一体部分とするか、又は外側シェルの各壁に設けられた３つの部分で構成することができる。特に、カバーパネル３０は、湾曲した形状で設けられ、かつ固定手段３１によって外側シェル３に固定された金属シートで作ることができる。外側シェルは、外側シェル３の縁部に丸形部分３２を有し、その上にカバーパネル３０が延びる。
【００６３】
以下に容器の製作工程を説明する。最初に、内側スライド２及び外側シェル３の両方がプラスチック材料、特に、ポリスチレン、ポリエチレン、ポリプロピレン、又はポリエチレンテレフタレートで成形される。次に、図１に示す閉鎖位置状態で内側スライド２が外側シェル３に配置される。案内ピン６、７が案内スリット８、９を通して内側スライド２に挿入されて固定される。案内ピン６、７の内側スライド２への固定は、内側スライド２のボアに接着するか又は単に摩擦接触するかのいずれかによって達成することができる。案内ピン６、７は、カバーパネル３０によって案内スリット８、９に更に固定することができる。
【００６４】
この発明は、補充カートリッジの消費財の周りの内側ライナ及び包装フィルムだけを廃棄すればよいので、材料節約によって環境問題を解決する補充可能な容器を提供する。
【００６５】
内側スライドは、消費者コミュニケーションのために付加的な区域を提供する。
【００６６】
消費財を含む補充カートリッジの製作は、従来技術の廃棄型容器の製作よりも廉価である。
【００６７】
第１及び第２の案内手段によって可能になった外側シェルに対する内側スライドの移動機能のために、容器の補充操作は、内側スライドの上部側面を露出することができるので容易になる。
【００６８】
カバーパネルは、好ましくは、付加的な構造的強度及び光学的効果をもたらす例えば錫のようなシートメタルで製作される。カバーパネルの開口部は、シートメタルに型打ち、エッチング、又はレーザカットすることができる。カバーパネルは、外側シェルの背面壁のスロットを貫通する金属フラップを用いて締結することができる。カバーパネルの開口部は、それらが整列する外側シェルの側壁の透明区画よりも小さくかつより繊細にすることができる。
【００６９】
案内ピンは、低摩擦係数を有する材料、例えば、ポリテトラフルオロエチレンから形成される。
【００７０】
内側及び外側シェルは、好ましくは、射出成形される。
【符号の説明】
【００７１】
１  容器
２  内側スライド
３  外側シェル
４  第１の案内手段
５  第２の案内手段
【図１】
2013517998.tif 000003
【図２】
2013517998.tif 000004
【図３】
2013517998.tif 000005
【手続補正書】
【提出日】平成24年9月27日(2012.9.27)
【手続補正１】
【補正対象書類名】特許請求の範囲
【補正対象項目名】全文
【補正方法】変更
【補正の内容】
【特許請求の範囲】
【請求項１】
消費財を収容するための内側スライド（２）と、
前記内側スライド（２）の周りに少なくとも部分的に設けられた外側シェル（３）と、
を含む容器（１）であって、
第１及び第２の案内手段（４、５）が所定運動経路に沿った外側シェル（３）に対する内側スライド（２）の相対運動を可能にするようになった異なる案内経路（１０、１１）を備えた第１の案内手段（４）及び第２の案内手段（５）、
を特徴とする容器（１）。
【請求項２】
前記第１及び第２の案内手段（４、５）の前記案内経路（１０、１１）は、互いに対して長さ及び角度が異なることを特徴とする請求項１に記載の容器。
【請求項３】
前記第１の案内手段（４）の前記案内経路（１０）と水平面との間の第１の角度が、前記第２の案内手段（５）の前記案内経路（１１）と水平面との間の第２の角度よりも大きいことを特徴とする請求項１から請求項２のいずれか１項に記載の容器。
【請求項４】
前記外側シェル（３）は、その前部側面及び底部側面で開いており、前記内側スライド（２）は、その上部で開いていることを特徴とする請求項１から請求項３のいずれか１項に記載の容器。
【請求項５】
少なくとも１つの透明区画（２２、２３、２４、２５）が、前記内側スライド（２）又は前記消費財上に提供された情報が可視であることを可能にするために前記外側シェル（３）及び該内側スライド（２）の前記壁のうちの少なくとも１つに設けられることを特徴とする請求項１から請求項４のいずれか１項に記載の容器。
【国際調査報告】
2013517998.tif 000006
2013517998.tif 000007
2013517998.tif 000008